Podtech/llm-jp-corpus-v4-ja_patent huggingface dataset:
(57)【要約】      （修正有）【課題】視認性が良く、美観や清潔さを損なうことが少ない嗜好性飲料抽出用バッグを提供する。【解決手段】嗜好性飲料抽出用バッグを構成する支持シートの外表面に褐色の食品用熱シール性未晒紙フィルターを貼付する。【選択図】図１
0003179688.tif 000002
【実用新案登録請求の範囲】
【請求項１】
飲料を抽出するためにフィルターとして機能するバッグ本体に、外側表面に褐色の食品用熱シール性未晒紙フィルターを貼付した支持シートを貼着したことを特徴とする着色支持シート付嗜好性飲料抽出用バッグ。
【考案の詳細な説明】
【考案の詳細な説明】
【技術分野】
【０００１】  本考案は、コーヒー、紅茶、緑茶又はその他嗜好性飲料を抽出するために用いる嗜好性飲料抽出用バッグに関するものである。
【背景技術】
【０００２】  近年、コーヒー等の嗜好性飲料を、一人用飲料抽出用バッグを用いドリップ方式で入れて飲むことが多くなっている。飲料抽出用バッグは、飲料を抽出するためにフィルターとして機能するバッグ本体と、抽出時にバッグ本体をカップ上に安定して保持する支持シートよりなるものが用いられている。【０００３】  支持シートは、一般的に白色略四辺形となっており、その中に各種の切込み線が設けられ、適宜の形状の係止部を引き起こせるようになっている。たとえば、特許文献１の２図には、略四辺形の支持シート２１ａ及び２１ｂから、カップ口縁の外側及び内側に係止する部位２２ａ及び２２ｂ、２３ａ及び２３ｂが引き起こされるようになっている（図１）。また、支持シートはコーヒー豆粉に注がれる湯に濡れたり、抽出後のコーヒー液に漬かるため、食品衛生を考慮して、印刷などを施さず、白色のまま使用するのが一般的である。【０００４】  かかる飲料抽出用バッグは、バッグ本体にコーヒー豆を挽いて粉にしたものを充填し、バッグ開口部を封止した後、ガスバリヤー性の高いフィルムなどの包材で密封個包装して、一人用ドリップバッグコーヒーとして商品化される場合が多い。【０００５】
【特許文献１】特開２００７−４５４９０号公報
【考案の概要】
【考案が解決しようとする課題】
【０００６】  しかしながら、従来の嗜好性飲料抽出用バッグでは、バッグ本体および支持具が共に白色であるため支持具の視認性が悪く、特に目に障害のある人には使い勝手が悪い場合があった。また、コーヒー豆粉を充填された嗜好性飲料抽出用バッグが長期に保存されたままになると、コーヒー豆粉が含有する褐色の油が支持具に浸透して斑に着色し、美観や清潔性を損ねるという好ましくない現象が発生していた。【０００７】  本考案は、コーヒー豆粉を充填された状態で飲料抽出用バッグを長期に保存しておいても、美観や清潔性を損ねることのない嗜好性飲料抽出用バッグを提供するものである。
【課題を解決するための手段】
【０００８】  本考案は、嗜好性飲料抽出用バッグを構成する支持シートの外表面に褐色の食品用熱シール性未晒紙フィルターを貼付することにより、支持シートの視認性を向上させると共に、コーヒー豆粉を充填された嗜好性飲料抽出用バッグが長期に保存されたままになっても、美観や清潔性を損なわないようにしたものである。【０００９】  すなわち、本考案は、飲料を抽出するためにフィルターとして機能するバッグ本体に、外側表面に褐色の食品用熱シール性未晒紙フィルターを貼付した支持シートを貼着したことを特徴とする嗜好性飲料抽出用バッグに関するものである。支持シートは、嗜好性飲料抽出用バッグのバッグ本体をカップ内で係止する機能を果たすためにバッグ本体に貼付するものであり、その形状やバッグ本体を係止する方法を限定するものではない。【００１０】  嗜好性飲料抽出用バッグの一例に基づいて、本考案を具体的に説明する。図１は抽出用バッグの正面図であり、図２は抽出用バッグの使用時における斜上方から見た斜視図である。嗜好性飲料抽出用バッグ（１）の抽出用バッグ（２）（２’）の形状は特に限定しないが、開口面積を大きくするためバッグの側面にギャザーを設けた形状でも良い。抽出用バッグの材質は、ろ過性を示す材料であれば特に限定せず使用可能である。紙製支持シート（３）（３’）はケント紙のようにある程度の剛性及び弾性と共に、変形させた時その形状に保持できる可塑性も有するシートで作成し、その形状は特に限定するものではない。この紙製支持シートの外表面にはコーヒー用フィルターとして使用される褐色の熱シール性未晒紙フィルターを貼付してある。【００１１】  紙製支持シートの左右の縁（６）（６’）および逆Ｔ字形部分（７）（７’）はバッグ本体に貼着されている。中間部（８）、（８‘）、（９）、（９’）は、下部境界線（１０）、（１０‘）、（１１）、（１１’）を軸として外側への折り曲げが可能であり、また中間部（８）、（８‘）、（９）、（９‘）の上端に接続されている略Ｕ字形の先端部（１２）、（１２’）は、上部境界線（１３）、（１３‘）、（１４）、（１４’）を軸として更に外側へ折り曲げ可能である。従って、この嗜好性飲料抽出用バッグを使用するときは、バッグ表裏の先端部（１２）、（１２‘）をバッグを膨らませるように互いに反対方向に引っ張り、逆Ｖ字状に開いた中間部（８）、（８‘）、（９）、（９‘）と先端部（１２）、（１２’）の間にカップ縁を入れて、嗜好性飲料抽出用バッグをカップに安定に設置することができる。（図２）【００１２】  紙製支持シートには、ケント紙のような腰があるシートを使用し、このシートの両面には熱シール性を付与するためにポリオレフィンなどのコーティング層を設ける。このようにして得られた熱シール性シートの片面に食品用に使用される褐色の熱シール性未晒紙フィルターを貼付し、これを支持シート作成用の材料として使用する。
【考案の効果】
【００１３】  本考案に係る着色支持シート付嗜好性飲料抽出用バッグを用いれば、支持シートが褐色であるため白色のバッグ本体との区別が付き易く、目に障害のある人にとっても従来より容易に支持シートを把持することができる。また、支持シートの外表面が未晒紙フィルターになっているため、把持部の表面摩擦抵抗が上がり把持し易くなる。更に、コーヒー豆粉を充填したまま長期に保存され、コーヒー豆粉が含有する褐色の油が支持シートに移行しても、支持シ−ト外観が褐色であるため油の移行が目立たず、美観や清潔性を損なうことが少ない。
【図面の簡単な説明】
【００１４】
【図１】本発明の着色支持シート付嗜好性飲料抽出用バッグの一態様で、使用前の折り畳まれた状態における正面図を示す。
【図２】図１に示した本発明の着色支持シート付嗜好性飲料抽出用バッグの使用時に、コーヒーカップの上に乗せた状態における斜視図を示す。
【符号の説明】
【００１５】（１）  嗜好性飲料抽出用バッグ
（２）  抽出用バッグ
（３）、（３‘）  紙製支持シート
（４）、（４‘）  紙製支持シートの上部の縁
（５）、（５‘）、（６）、（６’）  紙製支持シートの左右の縁
（７）、（７‘）  紙製支持シートの逆Ｔ字形部分
（８）、（８‘）、（９）、（９’）  中間部
（１０）、（１０‘）、（１１）、（１１’）  下部境界線
（１２）、（１２‘）  先端部
（１３）、（１３‘）、（１４）、（１４’）  上部境界線
（１５）、（１５‘）、（１６）、（１６’）  鰭
【図１】
0003179688.tif 000003
【図２】
0003179688.tif 000004
(57)【要約】      （修正有）【課題】摘み部を設けることにより糸の縫い目をほどくことと、切った糸を除去することを１本で行うことができるシームリッパーを提供する。【解決手段】先端に、糸の縫い目をほどいたり、切ったりする刃先を設けたシームリッパー本体２と、持ち手のハンドル３からなるシームリッパー１において、刃先とは反対側のハンドル先端部に切った糸Ｅを除去する上下に摘み片４ａを設けた摘み部４を形設する。【選択図】図３
0003179691.tif 000002
【実用新案登録請求の範囲】
【請求項１】
先端に、糸の縫い目をほどいたり、切ったりする刃先を設けたシームリッパー本体と持ち手のハンドルからなるシームリッパーにおいて、ハンドル先端部に切った糸を除去する上下に摘み片を設けた摘み部を形設してなることを特徴とするシームリッパー。
【考案の詳細な説明】
【技術分野】
【０００１】  本考案は、切った縫い目の糸を除去する機能を設けてなるシームリッパーに関するものである。
【背景技術】
【０００２】  従来の技術としては、同様なものはないが本出願人が以前出願した中心より折り曲げるべく、上下対称に形成したシームリッパー本体の先端部に切刃を挟持して固定してなることを特徴とするシームリッパーがある。（特許文献１参照）
【先行技術文献】
【特許文献】
【０００３】
【特許文献１】  特開２０１２−５８００号公報
【考案の概要】
【考案が解決しようとする課題】
【０００４】  上記従来技術は、切刃に特徴を持ったシームリッパーであり、本考案のような切った糸を除去する摘み部を設けてなるものとは異なり、必然的に機能・効果の異なるものである。【０００５】  本考案は、摘み部を設けることにより糸の縫い目をほどくことと、切った糸を除去することを１本で行うことができるシームリッパーを提供することを目的とする。
【課題を解決するための手段】
【０００６】  本考案は、上記目的を達成するため、先端に、糸の縫い目をほどいたり、切ったりする刃先を設けたシームリッパー本体と、持ち手のハンドルからなるシームリッパーにおいて、ハンドル先端部に切った糸を除去する上下に摘み片を設けた摘み部を形設してなる。
【考案の効果】
【０００７】１）、ハンドル先端部に摘み部を設けることにより、これ１本で、糸の縫い目をほどいたり、切ったりできると共に、切った糸を除去できるものである。
【図面の簡単な説明】
【０００８】
【図１】  本考案の一実施例を示すシームリッパーの正面図。
【図２】  本考案の一実施例を示すシームリッパーの平面図。
【図３】  本考案の一実施例を示すシームリッパーの使用状態図。
【考案の実施するための形態】
【０００９】  １は、シームリッパーである。
２は、金属製等による先端に、糸の縫い目をほどいたり、切ったりする刃先２ａを設けてなるシームリッパー本体である。
３は、シームリッパー本体２に一体に取り付けてなる持ち手としてのハンドルで、先端部に切った糸を除去する上下に摘み片４ａを設けた摘み部４を形設してある。
なお、必要に応じて透明なキャップＫを取り付けるのも一考である。
【００１０】  上記シームリッパー１の使用例について述べる。
例えば、縫製された服Ｆの縫い目Ｍの糸Ｅをシームリッパー本体２の刃先２ａにて切った後、糸Ｅの端部を摘み部４の摘み片４ａ・４ａを指Ｕにて摘み、引き抜くことにより糸クズを除去できる。
なお、服の手直しや仕付けの時等において、切った糸クズを拾う作業が頻繁にあり、市場のニーズに合っている。
【００１１】  なお、上記摘み片４ａ形状は、特に限定するものではなく、糸Ｅが摘める形状であればよい。
【符号の説明】
【００１２】  １―――シームリッパー
２―――シームリッパー本体
２ａ――刃先
３―――ハンドル
４ａ――摘み片
４―――摘み部
Ｋ―――キャップ
Ｆ―――服
Ｅ―――糸
Ｕ―――指
【図１】
0003179691.tif 000003
【図２】
0003179691.tif 000004
【図３】
0003179691.tif 000005
(57)【要約】      （修正有）【課題】省電力を可能とする太陽光追尾用光センサーシステムを提供する。【解決手段】２つ以上の光センサーＡを衝立Ｃではさみ各々それを配し、太陽光等の光源の位置によって衝立Ｃによる影をつくり、この際２つ以上の光センサーＡに電位差を生じさせ、これによって稼働回路で制御し、稼働モーター等の稼働機器を作動させる事を行なった。また、太陽光等の光源が光の供給を行わない場合、稼働モーター等の稼働機器は機能を停止する。【選択図】図１
0003179670.tif 000002
【実用新案登録請求の範囲】
【請求項１】
２つ以上の光センサーを有し、両者の光源より受ける光量の差によって生ずる電位差を利用した太陽光追尾用光センサーシステム。
【請求項２】
衝立で仕切られた２地点以上に各々光センサーを有し、それらを稼働回路に接続することで、モーター等の稼働機器を制御することのできる請求項１の太陽光追尾用光センサーシステム。
【請求項３】
太陽光等の光源より、光量を得られない場合、モーター等の稼働機器に対し、電力供給を行わないよう制御された請求項１の太陽光追尾用光センサーシステム。
【考案の詳細な説明】
【考案の詳細な説明】
【技術分野】
【０００１】省電力を可能とする太陽光追尾用光センサーシステムに関するものである。
【背景技術】
【０００２】従来の太陽光追尾用センサーは、コンピュータで太陽の日照時間等を過去のデータより推測し、或いは光の方向を計算することで、稼働するものが多くみられた。【０００３】これらは、高価な機器やソフトを必要とし、太陽光追尾式システム全体のコストを上昇させていた。また、稼働時の電力においても、更にはシステム維持の際の電力をも、多量に使い折角発電した電力を消費してしまった。結果として、効率の悪い太陽光追尾式システムとなってしまった。
【課題が解決する為の手段】
【０００４】本考案は２つ以上の光センサーを衝立ではさみ各々それを配し、太陽光等の光源の位置によって衝立による影をつくり、この際２つ以上の光センサーに電位差を生じさせ、これによって稼働回路で制御し、稼働モーター等の稼働機器を作動させる事を行なった。
【０００５】本考案においては、太陽光等の光源が光の供給を行わない場合、稼働モーター等の稼働機器は機能を停止しているように設計した。
【図面の簡単な説明】
【０００６】
【図１】太陽光追尾用光センサーの平面図である。
【図２】太陽光追尾用光センサーの側面図である。
【図３】太陽光追尾用光センサーシステムの構成図である。二つの光センサー（Ａ）は各々衝立（Ｃ）挟んで両側にある。光源の移動によって、固定された光センサー（Ａ）は衝立（Ｃ）の影によって、光を受けなくなる。この場合、光を受けない光センサー（Ａ）と光を受ける光センサー（Ａ）が存在することとなる。これによって、両者に電位差が生じ、制御回路（Ｄ）でそれを感知して、鼓動機器（Ｅ）を作動させる。あらかじめ制御回路（Ｄ）には光のある方向に向くようプログラムされている。
【符号の説明】
【０００７】（Ａ）光センサーである。
（Ｂ）光センサーを設置した底板である。
（Ｃ）衝立である。
（Ｄ）制御回路である。
（Ｅ）稼働機器である。
【図１】
0003179670.tif 000003
【図２】
0003179670.tif 000004
【図３】
0003179670.tif 000005
【手続補正書】
【提出日】平成24年4月28日(2012.4.28)
【手続補正１】
【補正対象書類名】実用新案登録請求の範囲
【補正対象項目名】全文
【補正方法】変更
【補正の内容】
【実用新案登録請求の範囲】
【請求項１】
２つ以上の光センサーを有し、それぞれのセンサーを衝立で仕切る事で影を作ることの出来る太陽光追尾用光センサーシステム。
【請求項２】
衝立で仕切られた２地点以上に各々光センサーを有し、それらを稼働回路に接続することで、モーター等の稼働機器を制御することのできる請求項１の太陽光追尾用センサーシステム。
【請求項３】
衝立によって出来た影により、稼働回路を停止させることのできる請求項１の太陽光追尾用光センサーシステム。
【手続補正書】
【提出日】平成24年8月8日(2012.8.8)
【手続補正１】
【補正対象書類名】実用新案登録請求の範囲
【補正対象項目名】全文
【補正方法】変更
【補正の内容】
【実用新案登録請求の範囲】
【請求項１】
２つ以上の光センサーを有し、それぞれのセンサーを衝立で仕切る事で影を作ることの出来る太陽光追尾用光センサーシステム。
【請求項２】
衝立で仕切られた２地点以上に各々光センサーを有し、それらを稼働回路に接続することで、モーター等の稼働機器を制御することのできる請求項１の太陽光追尾用光センサーシステム。
(57)【要約】      （修正有）【課題】ハブラシの柄が歯に当たらず、奥歯、歯周、歯ぐきまで綺麗に磨ける歯ブラシを提供する。【解決手段】柄の先端に半球形型のブラシを備え、さらに、柄の周囲に１２列のブラシを備えた歯ブラシと、さらに前記柄は吸引穴を備えている。【選択図】図１
0003179363.tif 000002
【実用新案登録請求の範囲】
【請求項１】
１  １２列先半球形万能歯ブラシ、通常歯ブラシ、電動歯ブラシ
【請求項２】
１  １２列先半球形万能歯ブラシ吸引穴を付ける事で介護用歯ブラシと電動歯ブラシとして使用する。
２  １２列先半球形万能歯ブラシの電動歯ブラシのブラシ部に吸引穴を付ける事により電動介護歯ブラシとしても使える
【考案の詳細な説明】
【技術分野】
【０００１】１２列先半球形万能歯ブラシはブラシ部溶着、謝出成形で製作
【背景技術】
【０００２】従来は、このような製品は無かった。
【考案の概要】
【考案が解決しようとする課題】
【０００３】１  今までの植毛するハブラシは柄の部分が歯に当たる事があった
２  奥歯、歯間、歯ぐきまで磨けなかった
【課題を解決するための手段】
【０００４】  １  １２列先半球形なので押さえる力がいらない
２  １２列先半球形なので内側の歯間もきれいに成る
３  １２列先半球形なので舌の清掃も出来る
４  １２列先半球形なので入歯隅々まで綺麗に磨ける
５  １２列先半球形なので歯茎のケアーもできる
６  １２列先半球形なので回転させる事で歯間綺麗になる
７  １２列先半球形なので遠心面、矯正装置の清掃も出来る
８  中心部に吸引穴を付ける事により介護用としても使える
９  １２列先半球形なのでブラシの先で奥歯も容易に磨ける
１０  １２列先半球形なのでブラシの柄の部分が歯に当たらない
【考案の効果】
【０００５】１  口腔ケアーの全てに適合する製品です
【図面の簡単な説明】
【０００６】
【図１】１２列先半球形歯ブラシの通常のハブラシ図です。
【図２】１２列先半球形歯ブラシの電動用のハブラシ図です。
【図３】１２列先半球形歯ブラシの吸引穴を付け介護用歯ブラシ図です。
【図４】１２列先半球形歯ブラシ介護用電動ブラシの図です。
【図１】
0003179363.tif 000003
【図２】
0003179363.tif 000004
【図３】
0003179363.tif 000005
【図４】
0003179363.tif 000006
【手続補正書】
【提出日】平成24年7月13日(2012.7.13)
【手続補正１】
【補正対象書類名】実用新案登録請求の範囲
【補正対象項目名】全文
【補正方法】変更
【補正の内容】
【実用新案登録請求の範囲】
【請求項１】
柄の先端に半球形型のブラシを備え、さらに、柄の周囲に１２列のブラシを備えたハブラシ。
【請求項２】
前記柄は吸引穴を備えていることを特徴とする請求項１に記載の歯ブラシ。
(57)【要約】      （修正有）【課題】塗料の含み量が多く、作業効率が高く、生産コストが低い刷毛を提供する。【解決手段】偽獣毛ポリエステル単繊維の刷毛は、刷毛柄、これと結合する上部の刷毛部を含み、刷毛部が偽獣毛ポリエステル単繊維により作られている。刷毛部はその長さ方向で自然な湾曲がある。刷毛部に天然の獣毛と偽獣毛ポリエステル単繊維とを混毛する。【選択図】図１
0003179361.tif 000002
【実用新案登録請求の範囲】
【請求項１】
偽獣毛ポリエステル単繊維の刷毛は、刷毛柄とそれに結合した上部の刷毛部を含み、刷毛部が偽獣毛ポリエステル単繊維で形成されている
ことを特徴とする偽獣毛ポリエステル単繊維の刷毛。
【請求項２】
請求項１に記載の偽獣毛ポリエステル単繊維の刷毛であって、偽獣毛ポリエステル単繊維により形成された刷毛部が、長さ方向で自然に湾曲しており、その湾曲点、湾曲の幅、ねじれ方向はいずれも随意に表れる
ことを特徴とする請求項１に記載の偽獣毛ポリエステル単繊維の刷毛。
【請求項３】
請求項１或いは２に記載の偽獣毛ポリエステル単繊維の刷毛であって、刷毛部に天然の獣毛を混毛し偽獣毛ポリエステル単繊維との毛組にする
ことを特徴とする請求項１または請求項２に記載の偽獣毛ポリエステル単繊維の刷毛。
【請求項４】
請求項１あるいは請求項２に記載の偽獣毛ポリエステル単繊維の刷毛であって、刷毛部には非偽獣毛ポリエステル単繊維、ナイロン単繊維及び偽獣毛ポリエステル単繊維とを混毛する
ことを特徴とする請求項１または請求項２に記載の偽獣毛ポリエステル単繊維の刷毛。
【考案の詳細な説明】
【技術分野】
【０００１】
本実用新案は、刷毛類に属し、特に偽獣毛ポリエステル単繊維の刷毛である。
【背景技術】
【０００２】
現在の刷毛は使用原料から区別すると、天然の獣毛の刷毛、あるいは、人工合成のポリエステル、ナイロンの単繊維の刷毛に分けられる。天然の獣毛は自然に湾曲した外観を呈し柔らかな品質で、刷毛を作った場合の塗料の含み量（刷毛の使用時の吸粘性指数）は高い。しかしその直径、長さ、および総合的品質面でその一致性が劣り、且つ国家の草原に対する保護、家畜の放し飼いから囲い込み飼育への変更で刷毛に使える原料は減少し、その価格は上昇し、これにより刷毛生産のコストが上昇し、更に獣毛の大量使用は、動物と人間の共存共栄環境、生態環境保護の理念に脅威を及ぼす。
人工合成の単繊維はその表面が丸く、直線方向にはまっすぐである。合成単繊維で作った刷毛の欠点は使用時の塗料の含み量が少ないことだが、その直径、長さ及び総合的品質の一致性は高く、その為合成単繊維で作った刷毛の使用上の寿命は獣毛で作った刷毛より長く、生産コストは低くなる。この点から、自然に湾曲した外観を呈する柔らかな品質の原料で刷毛を作ればその刷毛は含み量が高く、天然の獣毛の刷毛の代替品になり、かつ、生産コストは、大幅に下げられ、使用寿命は獣毛の刷毛に比べて更に長くなるので、偽獣毛ポリエステル単繊維の刷毛は必要である。
【考案の概要】
【考案が解決しようとする課題】
【０００３】
本実用新案の目的は、現有の技術の不足を克服し、自然に湾曲した外観を呈する柔らかな品質の毛を使い使用時の刷毛の塗料の含み量が高く、天然の獣毛の刷毛の代替品になり、また生産コストを大幅に減少させ、使用寿命は獣毛の刷毛に比べて更に長くなる偽獣毛ポリエステル単繊維の刷毛を設計することである。
【課題を解決するための手段】
【０００４】
この実用新案の目的は、このように実現する。
【０００５】
偽獣毛ポリエステル単繊維の刷毛は、刷毛の柄とその上部に結合する刷毛部を含み、その特徴は上記の偽獣毛ポリエステル単繊維で形成することである。
【０００６】
本実用新案の目的は下記に述べる方法で実現できる。
上記の偽獣毛ポリエステル単繊維で形成した刷毛部は、毛は長さ方向で自然な湾曲があり、その湾曲点、湾曲の幅、ねじれの方向は全て随意に表れるもので規則性が無いことが発見された。
その刷毛部に天然の獣毛と偽獣毛ポリエステル単繊維とを混毛する。
その刷毛部に非偽獣毛ポリエステル単繊維、ナイロン単繊維、及び偽獣毛ポリエステル単繊維を混毛する。
【考案の効果】
【０００７】
本実用新案で得られた偽獣毛ポリエステル単繊維の刷毛を試用した結果、下記のような有益な結果が得られた。
１）自然な湾曲を呈す外観と柔らかな品質面で、あたかも天然の獣毛で形成した刷毛のようで、その使用時の塗料の含みは大差なく、毛の直径、長さ、総合的品質の一致性が高くこれにより天然の獣毛で形成した刷毛に比べてその使用寿命は長く、その生産コストは５０％以上下げられる。
２）通常の人工合成で表面が丸く又長さ方向で真っ直ぐなポリエステル単繊維で形成した刷毛に比べてその毛の湾曲点、湾曲の幅、ねじれの方向が随意に表れ、規則性の無い事が発見された。これにより、毛がふんわりとして、同じ重量の偽獣毛ポリエステル単繊維の方が容積は大きくなる。また、同じ規格の刷毛を作る場合の毛の量が通常のポリエステルの真っ直ぐな繊維に比べて、三分の一になる。また、同じ規格の刷毛に比べてその塗料の含み量は、三分の一増える。これにより使用上、軽便であるだけでなく作業効率を上げられる。
３）天然の獣毛の代替品を開発することは、生態環境保護の新しい道を開く。資源が日々減少している天然の獣毛に代わってますます増える毛の需要を満足させる事で、必ずや商業的に大きな成功を得られる。
【図面の簡単な説明】
【０００８】
【図１】本実用新案の偽獣毛ポリエステルの刷毛の構造を示す図である。
【考案を実施するための形態】
【０００９】
付属図面は本実用新案について、さらに一歩説明する。
図１は本実用新案の偽獣毛ポリエステルの刷毛の構造を示すもので、
図１：１．刷毛柄、２．刷毛部：△は湾曲点を表し、２本の点線の間は、湾曲の幅を示し、↑はねじれの方向を示す。
【００１０】
具体的実施方法：付属図面により、本実用新案の実施の詳細について以下の通り説明する。
図１が示すように、偽獣毛ポリエステル単繊維の刷毛は、刷毛柄１が柄の上部の刷毛部２と結合しており、その特徴は刷毛部は偽獣毛ポリエステル単繊維により形成されていることである。
この偽獣毛ポリエステル単繊維で形成された刷毛部２は長さ方向で自然な湾曲が有りその湾曲点、湾曲の幅、ねじれの方向は随意に表れ、その規則性の無いことが発見された。
【００１１】
図の中で任意に選んだ箇所は偽獣毛ポリエステル単繊維の刷毛部の形状を示していて、図の中の△は、湾曲点を示し、２本の点線の間はその湾曲の幅を示し、↑はねじれの方向を示し、いずれも随意性がある。
前記刷毛部２の中に天然の獣毛と偽獣毛ポリエステル単繊維とを混毛する。その効果はその性能改善とコスト削減である。
前記刷毛部２の中に非偽獣毛ポリエステル単繊維、ナイロン単繊維と偽獣毛ポリエステル単繊維を混毛する。その効果は性能改善とコスト削減である。
本実用新案の実施により得られる偽獣毛ポリエステル単繊維の刷毛は、工業用の塗装、工芸品、化粧技術に広く汎用出来る。
【符号の説明】
【００１２】
１  刷毛柄
２  刷毛部
【図１】
0003179361.tif 000003
(57)【要約】      （修正有）【課題】安全、容易かつ短時間に屋根の除雪が可能な除雪装置を提供する。【解決手段】棟瓦付近に取り付けた腕木から軒先に向けて吊り下げたレールと、レールを直交するように取り付けた割竹を有する。これらの上部にシートをロープで取りつけ、積雪時にはロープを緩めて除雪する。【選択図】図２
0003179362.tif 000002
【実用新案登録請求の範囲】
【請求項１】
家屋の屋根上に竹やプラスチックなどのレールを敷き、その上に丈夫なシートを被せてこれを棟瓦付近からロープで吊り、積雪後は地上からロープを緩めることにより、雪を安全、容易かつ安価に地上に下ろして除雪するシステム。
【考案の詳細な説明】
【考案が解決しようとする課題】
屋根の除雪作業中に死傷する事故が毎年繰り返されている。
この考案はそのような事故の防止を目指し、安全、容易かつ安価に雪下ろしを行うためのものである。
【課題を解決するための手段】
切妻屋根に竹を利用して設置した場合を例示する。
（１）本案は、除雪時の事故をなくすための工夫で、冬季にはあらかじめ屋根の棟瓦付近に腕木を取り付け、この腕木から軒先まで瓦の上に竹材を適当な間隔で吊り下げ、その上に低温に強く丈夫な防水性シートを屋根全面を覆うように被せる。
このシートの上端を塩化ビニール管のような安価で丈夫な心棒に固縛し、この心棒をロープにより腕木から吊り下げる。積雪時には、このロープを緩めることにより、竹同士の滑りやすさによりシートが軒先方向に滑り、積もった雪を地上に落としてゆく。
（２）このようにして雪下ろしが済み次第、今度はロープを引いてシートを再び屋根の上に戻し、ロープの下端を地上に固縛して次の積雪に備える。
屋根の反対側も同じシステムとする。
【発明の効果】
上記（１）（２）のシステムにより、屋根上の積雪を地上に降ろすことができるので、地上の作業者が立ち位置とロープの緩め方に注意さえすれば安全、容易かつ短時間に屋根の除雪が可能で、しかも何度でも反復使用ができる。
【図面の簡単な説明】
【図１】切妻屋根の棟瓦の両側に腕木を取り付けた俯瞰図である
【図２】腕木から竹材をレール状に吊り下げて設置した図である。
【図３】この上に被せるシートの内側に割り竹を、上下端に心棒を、そして上端から下端へ、更に軒下へとロープを取り付けた図である。
【図４】本システムの施工例と除雪操作法などの説明。
【図１】
0003179362.tif 000003
【図２】
0003179362.tif 000004
【図３】
0003179362.tif 000005
【図４】
0003179362.tif 000006
【手続補正書】
【提出日】平成24年5月16日(2012.5.16)
【手続補正１】
【補正対象書類名】実用新案登録請求の範囲
【補正対象項目名】全文
【補正方法】変更
【補正の内容】
【実用新案登録請求の範囲】
【請求項１】
家屋の棟瓦付近に棟瓦に平行に取り付けた腕木から軒先に向けて竹又プラスチックパイプなどを吊り下げたレールと、その上に屋根全体を覆う丈夫なシートと、このシートの下面に上記のレールと直交する如く水平方向に取り付ける割り竹などとから成り、シートを棟瓦付近から軒先方向にロープで吊り下げた除雪装置。
(57)【要約】      （修正有）【課題】従来大型土のう製作時は両側から２人で土砂投入口を広げ支えていたが，土砂投入時機械との接触又支えきれずに転倒の危険があったので安全な大型土のう作成器を提供する。【解決手段】十字形ベース２を組立て支持パイプ４の４本を立設しフックに土のう袋付隋のロープを掛け内袋を支持パイプ４上部から覆う事で土砂投入口を確保する。【選択図】図７
0003179372.tif 000002
【実用新案登録請求の範囲】
【請求項１】
角パイプを十字形に組み，十字形端部にパイプ４本を垂直にボルトで固定できるような構造を有する大型土のう作成器
【考案の詳細な説明】
【技術分野】
【０００１】本考案は大型土のう作成時使用するものであり機械工学に関するものである。
【背景技術】
【０００２】従来大型土のうを二人で両側から広げバックホウで土を入れていた。又大型土のうの中に円形の鋼板を入れ土砂を投入する方法がある（例えば，特許文献１，２参照）
【先行技術文献】
【特許文献】
【０００３】
【特許文献１】特開平０５−３０５９２８
【特許文献２】特開平２０−７１８３
【考案の概要】
【考案が解決しようとする課題】
【０００４】従来大型土のう製作時は土砂を投入しやすくする為に両側から２人で広げ機械で土砂を投入していたが支えきれず危険を伴っていた．又機械と支える人との接触もあり危険で作業効率の悪い欠点があった。
【課題を解決するための手段】
【０００５】角パイプを十字に組みベースとし端部に支持パイプ４本を固定出来るように組立てられ，支持パイプ上部に大型土のう投入口が狭まらないよう，袋付隋の固定用ロープを掛けるフックを設け大型土のう内袋を支持パイプ上部より覆うことにより，土砂投入ができる。
【考案の効果】
【０００６】本考案大型土のう作成器を土砂投入前に組み建て，大型土のうを設置することで作業員と機械の接蝕を防ぐことが出来，又機械のサイクルタイムの向上と伴に作業員と機械運転手２人で，出来るので経済性も向上できる。
【図面の簡単な説明】
【０００７】
【図１】本考案大型土のう作成器の正面図
【図２】本考案大型土のう作成器の平面図
【図３】本考案大型土のう作成器の斜視図
【図４】本考案大型土のう作成器の詳細図
【図５】本考案大型土のう作成器の詳細図
【図６】本考案大型土のう作成器の運搬時の形態
【図７】本考案大型土のう作成器の使用形態
【考案を実施するための形態】
【０００８】図１は本考案大型土のう作成器の正面図，図２は平面図，図３は斜視図であり，図４図５は詳細図図６は運搬時の形態，図７は土のう設置時の形態を示す。
【０００９】図４の詳細図は支持パイプ下部に下側を長くしたＵ型金具を溶接しベース本体に差込むようにしたものであり，パイプ上部に袋付隋のロープ固定用フックを有する。
【００１０】図５はベース本体を中心部と支え部とわけ，中心部と支え部と丁番で接続し折たたみ可能とし中心部に持ち運び用取っ手を設けた。
【００１１】図６は運搬時の形態を示す。
【００１２】図７は本考案大型土のう作成器を組立て大型土のうを設置した状態を示す。
【実施例】
【００１３】従来大型土のう製作時は両側から２人で土砂投入口を広げ支えていたが，本考案大型土のう作成器を組立て大型土のう袋を設置し土砂を投入することで作業員と機械との接触もなくなり作業員と機械運転手２人で大型土のう作成ができるので安全性，経済性作業効率の向上を図る事が出来る。
【産業上の利用可能性】
【符号の説明】１，ベース中心部      ２，ベース支え部
３，丁番              ４，支持パイプ
５，固定ボルト        ６，取っ手
７，大型土のう        ８，フック
【図１】
0003179372.tif 000003
【図２】
0003179372.tif 000004
【図３】
0003179372.tif 000005
【図４】
0003179372.tif 000006
【図５】
0003179372.tif 000007
【図６】
0003179372.tif 000008
【図７】
0003179372.tif 000009
(57)【要約】      （修正有）【課題】香りを嗅ぐだけで無理なく食欲を抑えてくれるバニラエッセンスを常に携帯することの出来るダイエット用バニラエッセンスケース付き携帯ストラップを提供する。【解決手段】バニラエッセンスを含浸させた、布、綿又は、スポンジ等を封入した開閉用キャップ付き小型容器の頂上部の丸管用抜き穴に携帯ストラップを設ける。【選択図】図１
0003179374.tif 000002
【実用新案登録請求の範囲】
【請求項１】
バニラエッセンスを含浸させた布、綿又は、スポンジ等を開閉用キャップ付き小型容器に封入し、小型容器の頂上部の丸管用抜き穴でストラップを取り付けたダイエット用バニラエッセンスケース付き携帯ストラップ。
【考案の詳細な説明】
【技術分野】
【０００１】本考案は、香りを嗅ぐ事により、ダイエット効果のあるバニラエッセンスを小型容器に封入し、小型容器に携帯ストラップを取り付けたことにより常に持ち運べるダイエット用バニラエッセンスケース付き携帯ストラップに関するものである。
【背景技術】
【０００２】従来、ダイエットをするには、運動をしたり、食事制限をしたりしていた。なお、ダイエットサプリを服用する方法も知られている（特許文献１，２参照）。
【先行技術文献】
【０００３】
【特許文献１】特開２００４−６５０６２号公報
【特許文献２】特開２００５−２１８３９５号公報
【考案の概要】
【考案が解決しようとする課題】
【０００４】ダイエットをしたくても、食欲を抑えたり、甘い物を我慢するのは容易ではなく、無理に我慢をするとストレスが溜まりリバウンドをすることもある。
【考案を解決するための手段】
【０００５】バニラエッセンスを含浸させた布、綿又は、スポンジ等を封入した開閉用キャップ付き小型容器の頂上部の丸管用抜き穴に携帯ストラップを設ける。以上の構造よりなるダイエット用バニラエッセンスケース付き携帯ストラップ。
【考案の効果】
【０００６】空腹感を感じた時にバニラエッセンスの香りを嗅ぐと食欲を抑えたり、ホルモンバランスを整える働きがあり、そのうえ副交感神経が刺激されることによりストレスを緩和することが出来る為、体に負担をかけずに無理なく食欲を抑えることができる。そのようなバニラエッセンスを小型容器に入れて携帯ストラップと組み合わせることで、常に携帯することができるので、ダイエット効果を高めることができる。
【図面の簡単な説明】
【０００７】
【図１】本考案の斜視図
【図２】本考案の使用状態を示す斜視図
【考案を実施するための形態】
【０００８】以下、本考案の実施の形態を説明する。布、綿又は、スポンジ等（５）にバニラエッセンス（６）を含浸させた状態で開閉用キャップ（２）の付いた小型容器（１）に封入し、小型容器（１）の頂上部に丸管用抜き穴（３）を設け、丸管でストラップ（４）本体に取り付ける。本考案は以上のような構造である。本考案を使用するときは、携帯電話にダイエット用バニラエッセンスケース付き携帯ストラップをストラップ（４）部で取り付けて、空腹感を感じた時や、甘い物を欲した時に小型容器（１）のキャップ（２）を開け、小型容器（１）に封入されてある布、綿又は、スポンジ等（５）に含浸されたバニラエッセンス（６）の香りを嗅ぎ使用後は、キャップ（２）を閉める。
【符号の説明】
【０００９】（１）小型容器、（２）開閉用キャップ、（３）丸管用抜き穴、（４）ストラップ、（５）布、綿又は、スポンジ等、（６）バニラエッセンス、
【図１】
0003179374.tif 000003
【図２】
0003179374.tif 000004
(57)【要約】      （修正有）【課題】歯間の上部まで掃除しやすい爪楊枝を提供する。【解決手段】爪楊枝の先端部分の断面をＶ字型とする。【選択図】図１
0003179371.tif 000002
【実用新案登録請求の範囲】
【請求項１】
爪楊枝の先端部分を、断面がＶ字型になるように加工・製造することにより、歯間最上部まで快適かつ効率的に掃除できるように工夫した爪楊枝。
【考案の詳細な説明】
【考案が解決しようとする課題】
爪楊枝先端の断面は通常円形ないし長方形をしているが、歯間の上部は通常逆Ｖ型をしているため、爪楊枝の先端部分と歯間上部に空隙が生じて、充分に掃除ができにくい欠点がある。
【課題を解決するための手段】
そこで爪楊枝の先端部分を、断面がＶ字型になるように加工すれば、歯間の最上部まですっきりと掃除しやすくなる。
【発明の効果】
上記の工夫により、爪楊枝が歯間の最上部まで密着するので、快適かつ効率的に歯間を掃除することができる。
【図面の簡単な説明】
【図１】爪楊枝の先端部分の断面図である。先端方向から見ると、先端部分がＶ字型をしている。
【図１】
0003179371.tif 000003
【図２】
0003179371.tif 000004
【図３】
0003179371.tif 000005
【手続補正書】
【提出日】平成24年9月3日(2012.9.3)
【手続補正１】
【補正対象書類名】明細書
【補正対象項目名】全文
【補正方法】変更
【補正の内容】
【考案の詳細な説明】
【考案が解決しようとする課題】
爪楊枝先端の断面は通常円形ないし長円形をしているが、歯間の上部は通常逆Ｖ型をしているため、爪楊技の先端部分と歯間上部に空隙が生じて、充分に掃除ができにくい欠点がある。
【課題を解決するための手段】
そこで爪楊枝の先端部分を、断面がＶ字型になるように加工すれば、歯間の最上部まですっきりと掃除しやすくなる。
【考案の効果】
上記の工夫により、爪楊枝が歯間の最上部まで密着するので、快適かつ効果的に歯間を掃除することができる。
【図面の簡単な説明】
【図１】爪楊枝の先端部分の断面図である。先端方向から見ると、先端部分がＶ字型をしている。
【図２】爪楊枝の先端部分の側面図である。加工を容易にし、かつ先端部分の強度を保つため、軸部分と同じ幅とする。
【図３】爪楊枝の先端部分を先端方向から見た断面図である。
(57)【要約】      （修正有）【課題】マスク前面から漏れ出る呼気が上昇するのを防ぐために、マスクの前面に１枚の不織布（以下、カバーと称す）を上辺、左辺、右辺を溶着固定し、マスクとカバー間に空間を作り、空間の層により、呼気の上昇を防ぎ、眼鏡が曇らないマスクにおいて、マスクをする時にこのカバーの盛り上がった形状が歪んだり、変形していれば呼吸がしにくくなり、何より見映えが悪い。カバーの形状をきれいに、あるいはマスク使用者の好みに合わせて調整出来るようにしたマスクを提供する。【解決手段】カバーの下辺部に可撓性のあるプラスチック、アルミニウムあるいは、鉄製の板、ワイヤなどの芯Ｉを接着あるいは折り込んだ不織布の中に入れて固定し、下辺部を補強する。これにより、マスクとカバー間の空間Ｈを自由に調整可能となる。【選択図】図６
0003179387.tif 000002
【実用新案登録請求の範囲】
【請求項１】
マスク前面に、下辺部を可撓性のある芯材で補強した１枚の不織布カバーを下辺部以外の辺でマスク前面に溶着固定したことを特徴とするマスク。
【考案の詳細な説明】
【技術分野】
【０００１】    本考案は、眼鏡が曇らないためのマスクに関する。
【背景技術】
【０００２】    マスクをした場合に眼鏡が曇るのは、冷たい眼鏡レンズに水分を含んだ暖かい呼気が接触することにより、細かい水滴がレンズにつくことによるものである。呼気が漏れる方向の１つにマスクを通して前面から出た暖かい呼気が上昇して、レンズに接触するというものがある。マスク前面から呼気が漏れ、上昇するのを防ぐために、マスクの前面に１枚の不織布（以下、カバーと称す）を上辺、左辺、右辺を溶着固定する。カバーのサイズはマスクと同じ上辺長とし、左右縦辺の長さはマスクの７０〜９０％としマスクからはみ出さない寸法とする。また、下辺については上辺長より長い台形状とし、左右縦辺から中央に１０〜２０ｍｍ寄せて中央部に盛り上がった空間ができるようにする。マスクをする時にこのカバーの盛り上がった形状が歪んだり、変形していれば呼吸がしにくくなることがあり、何より見映えが悪い。カバーの形状をきれいに、あるいはマスク使用者の好みに合わせて調整出来るようにすればこの問題は解消出来る。
【先行技術文献】
【０００３】
【特許文献１】実用新案登録  第３１７６７０号
【考案の概要】
【考案が解決しようとする課題】
【０００４】    マスク前面から呼気が漏れ、上昇するのを防ぐために、マスクの前面に１枚の不織布（以下、カバーと称す）を上辺、左辺、右辺を溶着固定した「眼鏡が曇らないマスク」がある。（特許文献１参照）しかしながら、溶着固定したカバーだけではカバーの下辺部が歪んだり変形し、呼吸がしにくくなったり、見映えが悪くなる。
【課題を解決するための手段】
【０００５】    カバーの下辺部に可撓性のあるプラスチック、アルミニウムあるいは、鉄製の板、ワイヤなどの芯を接着あるいは折り込んだプリーツ不織布の中に入れて固定し、下辺部を補強する。
【考案の効果】
【０００６】    カバーの下辺部に補強芯を固定し、この芯を自在に曲げ、伸ばすことでマスクとカバー間の空間を自在に調節ができるようになる。つまり、カバーの形をマスク使用者の好みで変化させ、呼吸をしやすくしたり、見映えを良くすることができるようになる。
【図面の簡単な説明】
【０００７】
【図１】カバーを溶着する前のマスクの前面図である。
【図２】マスク前面に溶着するカバーの前面図である。
【図３】カバーを前面に溶着したマスクの前面図である。
【図４】カバーを前面に溶着したマスクの背面図である。
【図５】カバーを前面に溶着したマスクを上からみた図である。
【図６】カバーを前面に溶着したマスクを斜め上より見た図である。
【図７】カバーを前面に溶着したマスクを横からみたイメージ断面図である。
【考案を実施するための形態】
【０００８】    一般に流通している不織布製の衛生マスクをベースに、同じ不織布製のカバーを溶着する、という考案なので実施するのは極めて容易である。  マスクとカバーの間に空間を作り、呼気がマスク前面から漏れ出ないようにするのがポイントであり、そのための工夫がマスク下辺長よりもカバー下辺長が長い、台形のカバー形状となる。この考案で、平面形、プリーツ形、立体形のいずれの形状のマスクにも対応できる。
以下、図を用いて説明する。
「図１」のマスクの前面に「図２」のカバーを溶着した形状が「図３」である。
溶着部分は、「図３」の「Ａ＆Ａ１」と「Ｂ＆Ｂ１」の間  「Ｅ」
「Ａ＆Ａ１」と「Ｃ＆Ｃ１」の間  「Ｆ」
「Ｂ＆Ｂ１」と「Ｃ＆Ｃ１」の間  「Ｇ」
それにより、「図６」の「Ｈ」のような空間を作り出すことが出来る。
「図６」の「Ｉ」は、可撓性のあるプラスチック、アルミニウム、鉄製のワイヤなどの芯を示し、曲げ、伸ばすことで「Ｈ」のような空間を好みに合わせて自在に変えることができる。
【符号の説明】
【０００９】１．「Ａ」「Ａ１」「Ｂ」「Ｂ１」「Ｃ」「Ｃ１」「Ｄ」「Ｄ１」
「Ａ＆Ａ１」「Ｂ＆Ｂ１」「Ｃ＆ＣＡ１」「Ｄ＆Ｄ１」は、マスクとカバーの溶着位    置を示す。
Ａは、Ａ１の位置に合わせて溶着する。「Ａ＆Ａ１」
Ｂは、Ｂ１の位置に合わせて溶着する。「Ｂ＆Ｂ１」
Ｃは、Ｃ１の位置に合わせて溶着する。「Ｃ＆ＣＡ１」
Ｄは、Ｄ１の位置に合わせて溶着する。「Ｄ＆Ｄ１」
２．「Ｅ」「Ｆ」「Ｇ」は、溶着部分を示している。
Ｅは、「Ａ＆Ａ１」と「Ｂ＆Ｂ１」の間の溶着を示す。
Ｆは、「Ａ＆Ａ１」と「Ｃ＆Ｃ１」の間の溶着を示す。
Ｇは、「Ｂ＆Ｂ１」と「Ｃ＆Ｃ１」の間の溶着を示す。
３．「Ｈ」は、空間を示す。
４．「Ｉ」は、可撓性のあるプラスチック、アルミニウムあるいは、鉄製の板、ワイヤな    どの芯を示す。
【図１】
0003179387.tif 000003
【図２】
0003179387.tif 000004
【図３】
0003179387.tif 000005
【図４】
0003179387.tif 000006
【図５】
0003179387.tif 000007
【図６】
0003179387.tif 000008
【図７】
0003179387.tif 000009
(57)【要約】      （修正有）【課題】災害遭遇時に自らの所在を知らせ、救援を求めるのに用いられたり、暗い夜道を歩行中、自動車等の対向車のライトに反射させ、自己の所在を運転者に知らしめ、安全を確保するために用いられる携帯用ホイッスルを提供する。【解決手段】クリップ２を片面に一体成型し装着したホイッスル本体１において、そのクリップ装着面とは反対面に反射材３、蓄光材、鏡材のうち一種を装着させる。【選択図】図１
0003179382.tif 000002
【実用新案登録請求の範囲】
【請求項１】
洋服等の胸ポケット、又は襟等に挟み固定させることのできるクリップを片面に一体成型し装着したホイッスルに於いて、そのクリップ装着面とは反対面に反射材、蓄光材、鏡材のうち一種を装着させてなることを特徴とする携帯用ホイッスル。
【考案の詳細な説明】
【技術分野】
【０００１】  本考案は、災害遭遇時に自らの所在を知らせ、救援を求めるのに用いられたり、暗い夜道を歩行中、自動車等の対向車のライトに反射させ、自己の所在を運転者に知らしめ、安全を確保するために用いられる携帯用ホイッスルに関するものである。
【背景技術】
【０００２】  従来、携帯用ホイッスルとしては、ボールペンやシャープペンシル等に装着されているクリップと呼ばれる装置をホイッスルの一部に装着し、洋服等の胸ポケットや襟等に挟み固定させるものが考案されている。例えば、実用新案登録第３０８８４３０号公報に開示されたホイッスルがある。更に、山等で遭難した際に、自分の位置を明確に認識し、自力で脱出できるようホイッスルに磁気コンパスを装着させ、その先端に吊り下げ紐等を付け首に吊り下げることができるようにした携帯用ホイッスルも考案されている。例えば、実用新案登録第３０５０２８１号公報に開示されたホイッスルがある。
【先行技術文献】
【０００３】
【実用新案文献１】
実用新案登録第３０８８４３０号公報
【０００４】
【実用新案文献２】
実用新案登録第３０５０２８１号公報
【考案の概要】
【考案が解決しようとする課題】
【０００５】  上述した実用新案文献１のホイッスルは、クリップの効果により洋服等の胸ポケットや襟等に挟み固定出来る為、携帯用としての効果はあるが、災害遭遇時等における暗い場所での自分の所在を、ホイッスル自らの発光機能により他人に知らせたり、日中における太陽光でホイッスル自らの反射機能により他人に知らせるには役にたつものではなかった。又、暗い夜道を歩行中、自動車等の対向車のライトに反射させ、自己の所在を運転者に知らしめ、安全を確保するのにも役にたつものではなかった。
又、実用新案文献２のホイッスルも、吊り下げ紐により首等にかけ、携帯用としては効果があり、山中などで遭難に遭遇した時など、磁気コンパスにより自己の位置を知るには役にたつが、実用新案文献１のホイッスル同様、本考案が解決しようとする課題を満足せしめるものではなかった。
【問題を解決するための手段】
【０００６】  本考案はこのような事情に鑑みてなされたものであり、洋服等の胸ポケット、又は襟等に挟み固定させることのできるクリップを片面に一体成型し装着したホイッスルに於いて、そのクリップ装着面とは反対面に反射材、蓄光材、鏡材のうち一種を装着させてなることを特徴とする携帯用ホイッスルを提供するものである。つまり、ホイッスルの片面にクリップを装着させ、洋服等の胸ポケット又は襟等に挟み固定させ、携帯用としての機能を付与させる。そして、クリップ装着面とは反対面に反射材、蓄光材、鏡材のうちどれか一種を装着させることになるが、これらは使用場所の状況や実用性を考慮して、適宜決定すれば良いことになる。
【考案の効果】
【０００７】  本考案の携帯用ホイッスルによれば、洋服の胸ポケットや襟等に着脱自在に取り付けることのできる携帯用ホイッスルに関し、特に災害遭遇時に自らの所在を知らせ、救援を求めるのに用いられたり、暗い夜道を歩行中、自動車等の対向車のライトに反射させ、自己の所在を運転者に知らしめ、自己の安全を確保するために用いられる携帯用ホイッスルである。つまり、危険に遭遇した時に、素早く取り外してホイッスル音を発生させることができることは勿論、上述した機能を有する携帯用ホイッスルを提供することが可能となった。
【考案を実施するための最良の形態】
【０００８】  以下、図面に基づき本考案を具体的に説明する。図面において図１は本考案の携帯用ホイッスルの実施例を示す斜視図である。図２は本考案の携帯用ホイッスルの他の実施例を示す斜視図である。図３は本考案の携帯用ホイッスルの他の実施例を示す斜視図である。【０００９】  図１に示す実施例では、ホイッスル本体１はクリップ２と一体成型して作成され、そのクリップ装着面とは反対面に反射材３を装着させ、本考案の一例の実施例を示すものである。暗い夜道を歩行中、自動車等の対向車のライトに反射させ、自己の所在を運転者に知らしめ、自己の安全を確保することができるものである。【００１０】  図２に示す実施例では、図１に示すホイッスル本体１のクリップ装着面とは反対面に蓄光材４を装着させ、本考案の別例の実施例を示すものである。災害遭遇時の暗い場所において、自己の所在を救援者や仲間に知らせることができるものである。【００１１】  図３に示す実施例では、図１に示すホイッスル本体１のクリップ装着面とは反対面に、鏡材５を装着させ、本考案の別例の実施例を示すものである。災害遭遇時において、太陽光等の光を利用して、鏡材に光を反射させ、救援者や仲間に自己の所在を知らせることができるものである。【００１２】  いずれの場合も緊急時には、洋服の胸ポケットや襟等から素早く該ホイッスル本体１を取り外し、該ホイッスル本体１を吹いて緊急事態を知らせることができるものである。
【図面の簡単な説明】
【００１３】
【図１】本考案の携帯用ホイッスルの実施例を示す斜視図である。
【図２】本考案の携帯用ホイッスルの他の実施例を示す斜視図である。
【図３】本考案の携帯用ホイッスルの他の実施例を示す斜視図である。
【符号の説明】
【００１４】１．ホイッスル本体
２．クリップ
３．反射材
４．蓄光材
５．鏡材
【図１】
0003179382.tif 000003
【図２】
0003179382.tif 000004
【図３】
0003179382.tif 000005
(57)【要約】      （修正有）【課題】鞄や袋を作る際に縫製や接着をしないで組み合わせて鞄や袋を作ることが出来るパーツ生地を提供する。【解決手段】一定の円や四角に裁断した生地に鉤と穴の加工を施す。【選択図】図１
0003179381.tif 000002
【実用新案登録請求の範囲】
【請求項１】
一定の大きさの円や四角に裁断した生地に連結可能な鉤と穴の加工を施し、それらを組み合わせることで鞄や袋などを作れるパーツ生地
【考案の詳細な説明】
【技術分野】
【０００１】本考案は、縫製や接着をせず組み合わせることで鞄や袋が作れるパーツ生地に関するものである。
【背景技術】
【０００２】鞄など袋を作る際には裁断加工、縫製や接着の作業が必要とされる。
【先行技術文献】
【特許文献】
【特許文献１】
【特許文献２】
【非特許文献】
【非特許文献１】
【非特許文献２】
【考案の概要】
【考案が解決しようとする課題】
【０００３】鞄や袋を作る際は裁断加工や縫製、接着など道具や材料を必要とし、それらに相応の時間を要するが、パーツ生地を使用することでその手間を省略するものである。
【課題を解決するための手段】
【０００４】本考案は、生地に一定の強度を持たせて鉤と穴の加工を施し組み合わせが出来るものにして連結することで鞄や袋を作ることが出来る。
【考案の効果】
【０００５】本考案は時間のかかる裁断や縫製の手間を省略出来る。
【図面の簡単な説明】
【０００６】
【図１】一定の形に裁断したパーツ生地に鉤と穴の加工をしたもの。
【図２】パーツ生地を組み合わせ袋にしたもの。
【考案を実施するための形態】
【・・・・】
【実施例】
【・・・・】
【産業上の利用可能性】
【・・・・】
【符号の説明】
【・・・・】
【図１】
0003179381.tif 000003
【図２】
0003179381.tif 000004